(57)【要約】【課題】火災判断に要するステップを極力減らし、安全性向上を図ったシステムを提供する。【解決手段】火災受信機１は、複合感知器２に対して、煙濃度／温度データ交互切替指令と、データ読出指令を送出する、データ送信部１１を備えており、複合火災感知器２は、火災受信機１から煙濃度／温度データ交互切替指令を受けると、データ送信部２１に、煙濃度データＤ１、温度データＤ２のいずれかを最初に返信すべきデータとして設定した後、火災受信機１からデータ読出指令を受信したときには、煙濃度データＤ１、温度データＤ２のうち、最初に設定したデータを受信機に返信し、その後は、火災受信機１からデータ読出指令を受ける毎に、煙濃度データＤ１、温度データＤ２を交互に返信させる設定データ判断部２０を備える。【選択図】図１
2004062298.tif 000002
【特許請求の範囲】
【請求項１】
火災受信機より導出した監視回線に煙熱複合感知器を接続して構成され、上記煙熱複合感知器は、上記火災受信機からの制御指令信号を受信して、煙濃度データと温度データとを返信し、受信機側では受信したこれらのデータを判別して、火災警報を出力する構成にした、自動火災報知システムにおいて、
上記火災受信機は、
上記複合感知器に対して、煙濃度／温度データ交互切替指令と、データ読出指令を送出する、データ送信部を備えており、
上記複合火災感知器は、
上記火災受信機から煙濃度／温度データ交互切替指令を受けると、データ送信部に、煙濃度データ、温度データのいずれかを最初に返信すべきデータとして設定した後、上記火災受信機からデータ読出指令を受信したときには、煙濃度データ、温度データのうち、上記最初に設定したデータを上記受信機に返信し、その後は、火災受信機からデータ読出指令を受ける毎に、煙濃度データ、温度データを交互に返信させる設定データ判断部を備えた構成にしている、自動火災報知システム。
【請求項２】
火災受信機より導出した監視回線に煙熱複合感知器を接続して構成され、上記煙熱複合感知器は、上記火災受信機からの制御指令信号を受信して、煙濃度データと温度データとを返信し、受信機側では受信したこれらのデータを判別して、火災警報を出力する構成にした、自動火災報知システムにおいて、
上記火災受信機は、
上記複合感知器に対して、煙温度複合データ切替指令と、データ読出指令を送出する、データ送信部を備えており、
上記複合火災感知器は、
上記火災受信機から煙温度複合データ切替指令を受けると、データ送信部に、煙濃度と温度データとの複合データを、返信すべきデータとして設定した後、上記火災受信機からデータ読出指令を受信する毎に、設定した複合データを上記受信機に返信させる設定データ判断部を備えた構成にしている、自動火災報知システム。
【請求項３】
請求項２において、
上記受信機は、上記火災感知器から受信した複合データを、それぞれのデータに分離するデータ受信部を備えた構成とした自動火災報知システム。
【請求項４】
請求項３において、
上記複合データは、前回上記受信機に出力したそれぞれのデータの変化量を組み合わせたものであり、上記受信機は、上記データ受信部によって分離されたそれぞれのデータの変化量に基づいて、煙濃度データと温度データとを算出するデータ演算部を備えた構成とした自動火災報知システム。
【発明の詳細な説明】
【０００１】
【発明の属する技術分野】
本発明は、少なくとも、煙濃度データと温度データのいずれかを、受信機に対して出力する火災感知器と、これらのデータに基づいて火災発生を判断する受信機とで構成される自動火災報知システムの改良に関する。
【０００２】
【従来の技術】
従来より、マンションなどの集合住宅では、防災の目的から自動火災報知システムが使用されている。
【０００３】
このような自動火災報知システムは、受信機より多重伝送線を導出し、その伝送線に複数の火災感知器を接続した構成としており、受信機が、火災感知器で計測される煙濃度データと温度データとに基づいて火災の発生を判断している。
【０００４】
このものでは、このような判断手順として、以下の４つのステップを経て行われる。すなわち、火災感知器では、常時、煙濃度と周囲温度とを計測しており、これらより煙濃度データ、温度データを作成している。
【０００５】
受信機は、このような感知器に対して、煙濃度データ切換指令信号を出力し、感知器はこれを受けて、出力すべきデータとして煙濃度データを設定する（ステップ１）。
【０００６】
そして、受信機は、感知器に対して、データ出力信号を出力し、感知器はこれを受けて、設定した煙濃度データを受信機に出力する（ステップ２）。
【０００７】
ついで、受信機は、感知器に対して、温度データ切換指令信号を出力し、感知器はこれを受けて、出力すべきデータとして温度データを設定する（ステップ３）。
【０００８】
そして、受信機は、感知器に対して、データ出力信号を出力し、感知器はこれを受けて、設定した温度データを受信機に出力する（ステップ４）。
【０００９】
このようなステップ１〜４を循環的に行い、受信機は、感知器から得た煙濃度データと温度データに基づいて、火災の発生を判断し、火災発生と判断すると所定の警報処理を行う。
【００１０】
【発明が解決しようとする課題】
ところで、上記した自動火災報知システムは、火災を判断するのに上述の４ステップを要するため、例えば、受信機に感知器が１００個接続された場合には、各ステップを処理するのに要する時間を１５ｍｓとすると、４×１５ｍｓ×１００個＝６秒となり、６秒毎でなければ、火災判断することができない。
【００１１】
本来、火災判断のために要するステップはできる限り少なくして、火災判断に要する時間を少なくするのが安全性向上のために望ましく、そのようなシステムの開発が望まれていた。
【００１２】
本発明は、上記事情を考慮してなされたものであり、火災判断に要するステップを極力減らし、安全性向上を図ったシステムを提供することを目的としている。
【００１３】
【課題を解決するための手段】
上記目的を達成するために、本発明の請求項１に記載の自動火災報知システムでは、火災受信機は、複合感知器に対して、煙濃度／温度データ交互切替指令と、データ読出指令を送出する、データ送信部を備えており、複合火災感知器は、火災受信機から煙濃度／温度データ交互切替指令を受けると、データ送信部に、煙濃度データ、温度データのいずれかを最初に返信すべきデータとして設定した後、火災受信機からデータ読出指令を受信したときには、煙濃度データ、温度データのうち、最初に設定したデータを上記受信機に返信し、その後は、火災受信機からデータ読出指令を受ける毎に、煙濃度データ、温度データを交互に返信させる設定データ判断部を備えた構成にしている．。
【００１４】
請求項２に記載の自動火災報知システムでは、火災受信機は、複合感知器に対して、煙温度複合データ切替指令と、データ読出指令を送出する、伝送制御部を備えており、複合火災感知器は、火災受信機から煙温度複合データ切替指令を受けると、データ送信部に、煙濃度と温度データとの複合データを返信すべきデータとして設定した後、上記火災受信機からデータ読出指令を受信する毎に、設定した複合データを上記受信機に返信させる設定データ判断部を備えた構成にしている。
【００１５】
請求項３に記載の自動火災報知システムでは、受信機は、複合感知器から受信した複合データを、それぞれのデータに分離するデータ受信部を備えた構成とした。
【００１６】
請求項４に記載の自動火災報知システムでは、複合データは、前回受信機に出力したそれぞれのデータの変化量を組み合わせたものであり、受信機は、データ受信部によって分離されたそれぞれのデータの変化量に基づいて、煙濃度データと温度データとを算出するデータ算出手段を備えた構成とした。
【００１７】
【発明の実施の形態】
以下に、本発明の実施の形態について、図面とともに説明する。図１は、本発明の自動火災報知システムの要部構成の一例を示す図である。
【００１８】
このものは、受信機１と複合感知器２とを、感知回線を構成する多重伝送線Ｌを用いて接続して構成している。
【００１９】
受信機１は、火災判断部１０、データ送信部１１、データ受信部１２、データ格納部１３とを備える。一方の複合感知器２は、設定データ判断部２０、データ送信部２１、データ受信部２２、煙濃度検知部２３、温度検知部２４を備える。
【００２０】
このものは、図２に示すような処理をして火災判断を行う。すなわち、受信機１は、複合感知器２に対して、煙濃度／温度データ交互切替指令を出力する。これを受けた複合感知器２は、設定データ判断部２０によって、出力すべきデータとして煙濃度データＤ１と温度データＤ２を交互にデータ送信部２１に格納する。
【００２１】
また、複合感知器２は、受信機１のデータ送信部１１からデータ読出指令を受信する毎に、データ送信部２１に格納した煙濃度データあるいは温度データを受信機１に出力する。
【００２２】
受信機１は、以上の処理中、複合感知器２から受信した両データを受信した時点でこれらのデータに基づいて火災発生を判断する。このように、火災判断に必要なステップ数は、最初に図２に示す１ステップ、その後、図２の２，３に示す２ステップが必要となるが、、この場合、例えば、受信機１に感知器２が１００個接続された場合には、格ステップを処理するのに要する時間を１５ｍｓとすると、２×１５ｍｓ×１００個＝３秒となり、３秒毎に火災判断することができるようになる。
【００２３】
次に、本発明の他の実施の形態について説明する。すなわち、複合感知器２から出力すべきデータとして、煙濃度データと温度データとを組み合わせた複合データを設定データ判断部２０で作成すること、受信機１から出力される煙濃度／温度データ交互切替信号に代わって、煙濃度複合データ切替指令を出力することを特徴としている。
【００２４】
このような混合データは、図３のようにして送受される。すなわち、受信機１は、複合感知器２に対して、煙温度複合データ切替指令を出力すると、これを受けた複合感知器２は、設定データ判断部２０によって、出力すべきデータとして、煙濃度データと温度データとを組み合わせた混合データを出力する。
【００２５】
そして、複合感知器２は、受信機１からデータ読出指令を受信する毎に、設定データ判断部２０によって、設定した複合データを受信機１に返信する。
【００２６】
受信機１は、複合感知器２から複合データを受信する毎に、データ受信部１２によって、煙濃度データと温度データとに分離し、これらのデータに基づいて、火災判断部１０が火災発生を判断する。
【００２７】
このように、火災判断に必要なステップ数は、最初に図３の１に示す１ステップ、その後、図３の２に示すステップが必要となるが、この場合、例えば、受信機１に感知器２が１００個接続された場合には、各ステップを処理するのに要する時間を１５ｍｓとすると、１×１５ｍｓ×１００個＝３秒となり、１．５秒毎に火災判断することができるようになる。
【００２８】
図４は、本発明の第３の実施の形態を示す図である。ここでは、データ受信部１２は先述の混合データ分離機能を有していること、設定データ判断部２０が混合データを作成することは、先述の第２の実施形態と同様であるが、混合データの構成、データ演算部１４を更に設けた点が異なっている。
【００２９】
このものでは、混合データの構成は、図５に示すようになっている。すなわち、この混合データは、煙濃度データの前回出力分からの差分、温度データの前回出力分からの差分とを組み合わせたものとしている。なぜ、このような構成としているのかは、混合データとして各機器１，２の分解能が８ビットであり、そのため、両データをこの８ビットという分解能に適合させる必要があるからである。
【００３０】
この混合データは、計８ビットあり、煙濃度データ分を４ビット、混合データ分を４ビット確保しており、それぞれの頭に、変化符号である＋−を格納し、続く３ビット分を差分の絶対値が格納されるようにしている。
【００３１】
このような混合データを用いた火災判断の手法を図６を用いて説明する。すなわち、まず、受信機１は、感知器２より煙濃度データと温度データとを受信すると（１００）、感知器２に対して、煙温度複合データ切替指令を出力する（１０１）。
【００３２】
すると、感知器２は、混合データを受信機１に出力し、これを受けた受信機１は、データ受信部２２によって、受信した混合データより、煙濃度データの差分と温度データの差分とに分離し、その差分を各データに加算して現在の煙濃度データと温度データとを演算するという処理をデータ演算部１４で行う（１０２）。
【００３３】
そして、データ格納部１３に、演算した結果を格納し（１０３）、火災判断部１０が格納した結果に基づいて火災判断を行う（１０４）。
【００３４】
【発明の効果】
以上の説明からも理解できるように、本発明の請求項１に記載の自動火災報知システムでは、複合火災感知器は、火災受信機から煙濃度／温度データ交互切替指令を受けると、データ送信部に、煙濃度データ、温度データのいずれかを最初に返信すべきデータとして設定した後、火災受信機からデータ読出指令を受信したときには、煙濃度データ、温度データのうち、最初に設定したデータを受信機に返信し、その後は、火災受信機からデータ読出指令を受ける毎に、煙濃度データ、温度データを交互に返信させるので、従来に比べて、火災判断に要する時間が削減でき、短時間で多くの火災判断ができるので、システムの安全性を向上させることができる。
【００３５】
請求項２に記載の自動火災報知システムでは、複合火災感知器は、火災受信機から煙温度複合データ切替指令を受けると、データ送信部に、煙濃度と温度データとの複合データを、返信すべきデータとして設定した後、火災受信機からデータ読出指令を受信する毎に、設定した複合データを受信機に返信させるので、請求項１に比べて、更に火災判断に要する時間が削減でき、短時間でより多くの火災判断ができる。
【００３６】
請求項３に記載の自動火災報知システムでは、受信機は、複合感知器から受信した複合データを、それぞれのデータに分離するデータ受信部を備えたので、このデータ受信部を備えるだけで、従来から使用されていた火災判断部を用いることができ、コストの削減となる。
【００３７】
請求項４に記載の自動火災報知システムでは、複合データは、前回受信機に出力したそれぞれのデータの変化量を組み合わせたものであり、受信機は、データ受信部によって分離されたそれぞれのデータの変化量に基づいて、煙濃度データと温度データとを算出するデータ演算部を備えた構成としたので、ビット数の制限のあるデータ内に混合データを確実に収めることができ、このデータに基づいたデータの差分により、現在のデータを算出できる。
【図面の簡単な説明】
【図１】本発明の第１の実施形態の要部構成の一例を示す図である。
【図２】図１のシステムの動作について説明するための図である。
【図３】本発明の第２の実施形態の動作について説明するための図である。
【図４】本発明の第２の実施形態の要部構成の一例を示す図である。
【図５】混合データの構成例を示す図である。
【図６】本発明の第３の実施形態の動作について説明するためのフローチャートである。
【符号の説明】
１・・・受信機
２・・・煙熱複合感知器
１０・・・火災判断部
１１，２１・・・データ送信部
１２，２２・・・データ受信部
１４・・・データ演算部
２０・・・設定データ判断部
Ｄ１・・・煙濃度データ
Ｄ２・・・温度データ
Ｌ・・・感知回線
【図１】
2004062298.tif 000003
【図２】
2004062298.tif 000004
【図３】
2004062298.tif 000005
【図４】
2004062298.tif 000006
【図５】
2004062298.tif 000007
【図６】
2004062298.tif 000008